(57)【要約】【課題】シュレッダー使用時に発生する不快な騒音を低減させて、更に快適な使用環境を提供する。【解決手段】シュレッダーの駆動部から発生する騒音を遮音した後、その騒音発生源をマイクで取り込んで音声変換を行うことにより、シュレッダーから発する騒音を自然な快音へと変換して、快適な使用感を得られるシュレッダーを提供する。更に、使用者の好みに合わせて発する音声を選択したり、１／ｆ回路を搭載することによって、自然な音を発することが可能になり、より快適な使用環境を提供することができる。【選択図】図１
2008264681.tif 000002
【特許請求の範囲】
【請求項１】
シュレッダーとして、紙を裁断する為の刃とその機構、駆動用のモーターと、騒音を防ぐ為の防音壁を有し、更にシュレッダー本体から発生する音を収集する為のマイクと、収集した音声をデジタル変換し音声を変調する為の装置、その音声を増幅し音量を調整することのできる増幅装置と変換した音を発生する為のスピーカーを有することを特徴としたもの。
【請求項２】
請求事項１の音声を快適な音へ変調する時に参照する自然界の音の特徴を保持しているメモリと、このメモリのデータを元に音声変換を行うことのできるシュレッダー。
【請求項３】
請求項２において使用者が好みの自然界音を選択する操作パネルを有するもの。
【請求項４】
請求事項１の音声を快適な音へ変調する時に参照する自然界の音の特徴を保持しているメメモリのデータを元に音声変換を行うことのできるシュレッダー。
【請求項５】
請求事項１に加え、１／ｆゆらぎ発生回路備え、収集した音声に自然界のゆらぎを加えた音声を発することのできるシュレッダー。
【発明の詳細な説明】
【技術分野】
【０００１】
この発明は、電動式シュレッダーを使用する時に発する騒音を快適な音声へと変換することにより、シュレッダーの欠点である不快な騒音を解決する事に関する。
【背景技術】
【０００２】
個人情報や機密事項の保護の為に、シュレッダーは主に事務を行うオフィスに需要が多く、多くの会社で使用されている。しかし、オフィスで使用される業務用の電動シュレッダーの多くは、その構成部品の機構上、稼働時に騒音が発生し職場環境にも良い影響を与えない。
【０００３】
このように、騒音源を内部に有するオフィス機器では、これらの騒音をいかに低減されるかが重要な問題となっており、これらを解決する手段が求められている。
【０００４】
機器の発生する騒音を低減させる技術としては、従来、吸音・遮音材による受動的な技術が中心であったが、逆相の音を意図的に発生して、干渉により低減させる能動的な騒音低音技術が、近時の信号処理技術の発達により可能になってきている。
【０００５】
例えば、冷蔵庫や自動車等においては、スピーカー等により逆位相の音を発生させて、干渉により消音している。
【０００６】
また、シュレッダーの消音装置としては、用紙投入口とカッター機構の間の用紙通路を塞ぐ状態で吸音部材で形成されたローラを配設することにより、用紙投入口から外部に漏れる騒音を低減させる手段が特許文献１に記載されている。
【０００７】
また、請求項２のｆ／１ゆらぎについては、東京工業大学名誉教授である武者利光氏らによって研究された原則で、規則性はないがある法則性をもつ事を特徴とする。これは、自然界に普遍的に見られる現象で、あらゆる自然現象の動きの元となる法則であり、例えば、そよ風、海のさざなみ、川のせせらぎ、炎のゆらめき、といった一般に人がリラックスし、快適と感じるパターンである事が知られている。
【０００８】
このようなゆらぎ理論を用いて、音空間にゆらぎ雑音を与えるようにすることにより、人の生理的ないし心理的緊張の緩和度を有効に制御する方法も考案されている。この音環境制御方法に関しては、特許文献２に詳しい。
【特許文献１】特開平９−２３４３８２
【特許文献２】特開平２−１３４１６４
【発明の開示】
【発明が解決しようとする課題】
【０００９】
シュレッダーのようにその機構上、本体から騒音が発生するオフィス機器に関して、その発生する騒音を遮断・吸音・消音する為の技術が考案されているが、騒音をより快適な音へ変換して再生する事によってオフィス環境をより快適にするという方法には触れられていない。
【００１０】
また、防音材や吸音材の技術は、発生する騒音を低減する効果はあるが、これを完全に打ち消すことは不可能であり、この打ち消すことのできない騒音がオフィス環境に及ぼす、悪影響を軽減させる事が課題となる。
【課題を解決するための手段】
【００１１】
上記課題を解決する手段として、シュレッダー本体からまず、本体のモーターや紙を裁断するための機構から発する騒音を抑える事が必要である。
【００１２】
ただし、発生した騒音を吸音するのではなく、例えば遮音材によって騒音源である機構部分を囲んで、本体から発生する騒音が外部へ漏れるのを防ぐ事が必要である。この手段として、モーターと裁断機構の音を遮る為の遮音壁設け、騒音源から発する騒音が外部へ漏れるのを防ぐ。
【００１３】
しかし、この遮音壁でも隙間から漏れる音を完全に遮断することは不可能である為、別の快適な音声を発することによってこの漏れた音を打ち消す。
【００１４】
この、快適な音声を発する手段として、この防音壁の内部に音声変調を行う音源を収集する為のマイクがあり、このマイクによって収集された音声をシュレッダー内部に設けられている音声変換装置にて音声変換することによって、不快音を快適な音声に変換するものとする。
【００１５】
音声変調装置では、マイクで収集された音声をデジタル変換した後に、音源波形をデジタル演算することにより耳障りな周波数を除去したり周波数のパターンや波形を補正する。
【００１６】
また、川や滝の音、森の木々のざわめき音、海のさざ波等、自然界にある音源のいくつか波形パターンを記録したメモリから、その特徴である周波数、波形パターンを取り出し、収集した音声波形をこのデータに基づいてデジタル処理を行うことにより自然界の音の特徴に類似した快音を得る。
【００１７】
更に、このシュレッダーには、この音声変換した音声をより自然界の音に近づける為に１／ｆゆらぎ発生回路を持ち、この変調された音声に１／ｆゆらぎを加えることにより、さらに自然界の音の特徴を持つ快適な音声が生成されるようになっている。
【００１８】
この１／ｆゆらぎを合成した音声は、内部の増幅装置と音量制御装置によりコントロールされ、シュレッダーから漏れた騒音を打ち消すように変調された快適な自然界の音声を内蔵されたスピーカーから発する。
【００１９】
このシュレッダーには更に、請求項３のように操作パネルを持っている。この操作パネルによって例えば、森のざわめきの音、滝の音、海岸のさざ波といった使用者の好みの自然界音を選択することができ、このシュレッダーはその好みに合わせた音声変換を行うことができるものとする。
【発明の効果】
【００２０】
主にオフィスで使用されるシュレッダーから発せられる騒音を防ぎ、快適な自然界の音を発することによって職場環境の向上がはかれる。また、防音装置や遮音装置によっても押さえきれない騒音を消し去り、打ち消す事もできる。
【発明を実施するための最良の形態】
【００２１】
快音シュレッダーの構成図を図１に表わす。
【００２２】
まず、シュレッダーの構成である、モーター及び裁断機構の部分を遮音壁（D）にて遮蔽する事によって、騒音発生源の直接の音を軽減させることが必要である。この騒音源とは、シュレッダーを構成する、モーター（a）と裁断カッター（b）、それを駆動する機構（C）であり、これらから発する騒音によって、快音シュレッダーの快音効果を打ち消すのを防ぐものである。
【００２３】
この遮音壁内部には、音源を収集する為のマイク(e)があり、このマイク( e)によって機構部からの発する騒音を取り込み、音源として音声変換回路(f)へ入力する役割を持つ。
【００２４】
この音声変換回路はシュレッダーの操作パネル(ｇ)に接続し、この操作パネルによって使用者が好みの音声パターンを選択することによって、音声変換回路(f)はその好みに応じた音声変換を行うことができるものとする。
【００２５】
こうして音声変換回路(f)によって生成された音声パターンは、シュレッダーが発する不快な音声を元に快音へと音声変換されてスピーカー（１０）より発音される。
【００２６】
このように騒音を快音へ変換する音声変換回路は図２に表わすような音声変換プロセスによって実現される。
【００２７】
集音用マイクロフォンで取り込んだ音声波形（１）は（２）のアナログ／デジタル変換回路でデジタル化し、その波形を（３）に表わすデジタル演算装置にて演算することによって音の性質を変化させるものである。
【００２８】
このデジタル演算装置（３）では、デジタル化した音声データを内部のマイクロプロセッサーにてよって演算することによって音の性質を変化させるものである。例えば、この回路には、騒音ノイズから発せられる不快な周波数をカットするフィルター回路（４）と、音声波形を変調するための演算回路（５）を持っている。
【００２９】
（２）の変換回路でデジタル変換された音声は、（４）のフィルター演算装置で不要な音声周波数域をカットすることで不快な音声成分のみを除去している。
【００３０】
（５）のデジタル演算装置は、デジタル音声信号を内部プロセッサーで、合成したり比較したり抽出することのできる演算回路である。
【００３１】
この演算回路では、いくつかの自然界の音の特徴がプリセットされたメモリ（７）に保持してある波形パターンから、操作パネル（６）で使用者が選んだ波形パターンを読み込んで、比較・演算することによって、入力されてきた音声をメモリ（７）に保持されている自然界の音の特徴へと変換するものである。
【００３２】
更に、その音声にさらなる自然感を出す為に、（８）で表わす１／ｆゆらぎ発生回路を持ち、この回路から発生する自然のゆらぎ波形を合成した快適な音声を合成することができる。
【図面の簡単な説明】
【００３３】
【図１】快音シュレッダーの構成図。
【図２】音声変調装置の音声変換プロセス。
【符号の説明】
【００３４】
ａ    シュレッダー駆動用モーター
ｂ   
裁断ローラ
Ｃ    シュレッダー駆動用の機構部分
Ｄ    遮音用の遮蔽板
ｅ    集音マイク
ｆ    音声変換回路
ｇ    操作パネル
ｈ   
スピーカー
１   
アナログノイズ
２   
アナログデジタル変換回路
３   
デジタル演算装置
４    フィルター回路
５    演算回路
６    操作パネル
７    音声パターン保持用メモリ-
８    １／ｆ ゆらぎ発生回路
９    増幅器
１０  快音音声
【図１】
2008264681.tif 000003
【図２】
2008264681.tif 000004